(57)【要約】【課題】  天然変成岩から適正量の遠赤外線、マイナスイオンを発生させ、低温低湿度で所望の長時間温熱効果を得ることができる温熱浴室を提供する。【解決手段】  温熱浴室１は、加温された室内３に遠赤外線等を発生する天然変成岩５ｂが室内３の内面全体に配設され、遠赤外線、マイナスイオンを発生する天然変成岩５ｂの破砕した粒子をシリコン樹脂５ａに混練した生成膜５と、室内３に設置して加温する乾式の加熱器７と、生成膜５の外面を被覆して、室内３から室外への熱を遮断する断熱壁６を備えている。【選択図】図１
2020044304.tif 000002
【特許請求の範囲】
【請求項１】
加温された室内に遠赤外線等を発生する天然鉱石を配設してなる温熱浴室であって、
前記室内の内面全体に配設され、遠赤外線、マイナスイオンを発生する天然変成岩を破砕した粒子をシリコン樹脂に混練した生成膜と、
前記室内に設置して加温する乾式の加熱器と、
前記生成膜の外面を被覆して、前記室内から室外への熱を遮断する断熱壁を備えたことを特徴とする温熱浴室。
【請求項２】
前記生成膜は、粒径が５〜２０ミクロンの前記天然変成岩の粒子を前記シリコン樹脂のペーストに分散して混練して形成され、板厚を２ｍｍとした請求項１に記載の温熱浴室。
【請求項３】
前記天然変成岩の粒子を混練した前記生成膜から、８〜１５ミクロンの波長の遠赤外線と、１５００〜３０００個／ｃｍ３のマイナスイオンを生成させた請求項１に記載の温熱浴室。
【請求項４】
前記室内は、前記加熱器により４０〜６０℃に設定された請求項１乃至３に記載の温熱浴室。
【発明の詳細な説明】
【技術分野】
【０００１】  本発明は、人体に天然変成岩から発生される遠赤外線、マイナスイオンを照射して、全身を温めて健康を維持・強化を図る温熱浴室に関するものである。
【背景技術】
【０００２】  従来、天然鉱石である、天照石、天降石、黒鉛珪石（シリカブラック）、或いはトルマリンを使用し、これらの天然鉱石から発生する遠赤外線やマイナスイオンを人体に照射した浴室やサウナが知られている。例えば、特開２００５−８７７２４号公報（特許出願１）には、遠赤外線、マイナスイオン等を発する黒鉛珪石からなる天然鉱石をモルタルで覆い、さらに、床暖房等の加熱装置とミスト発生装置等の加湿装置によって構成される低温サウナ室と浴場が開示されている。また、特開２００７−９００２３号公報（特許出願２）には、上槽タンクの内部に循環送水配管パイプに無数の穴を開け、水中ポンプの送水圧力より穴から噴出した圧力温水をイオン発生成材（トルマリン鉱石及び黒曜石）等に衝撃を加え、温水を落下させる滝により、イオン生成材に衝撃与え、温水シブキにより高湿度化したユニットサウナが開示されている。さらに、天然鉱石から発生する遠赤外線、マイナスイオンを用いたサウナは、特開２００７−５４１０７号公報（特許出願３）、特開２０００−３５０７８８号公報（特許出願４）に開示されている。
【先行技術文献】
【特許文献】
【０００３】
【特許文献１】特開２００５−８７７２４号公報
【特許文献２】特開２００７−９００２３号公報
【特許文献３】特開２００７−５４１０７号公報
【特許文献４】特開２０００−３５０７８８号公報
【発明の開示】
【発明が解決しようとする課題】
【０００４】  従来から、遠赤外線、マイナスイオンを発する天然鉱石は、黒鉛珪石、トルマリン、黒曜石、美向石、蛇紋岩が知られ、これらの鉱石を使用した健康品が種々販売されていて、上記特許文献１に示されたサウナもその一例である。ところが、これら周知の鉱石は、一般的に、遠赤外線、マイナスイオンの量バラツキがあり、遠赤外線、マイナスイオンの一方が多く、他方が少ないことから、健康を維持・強化を図ることが困難であった。また、特許文献１、２に開示されたサウナは、室内を高湿度に保ち、そのうえで、遠赤外線により発汗作用を促しているが、このような多湿であって、体温以上の室温で長時間入浴した場合には、熱中症になる危険性が伴う。そのため、必然的に入浴時間を短くしなければならず、この結果、所望の効果が得られない問題がある。【０００５】  本発明の課題は、天然変成岩から適正量の遠赤外線、マイナスイオンを発生させ、低温低湿度で所望の長時間温熱効果を得ることができる温熱浴室を提供することにある。
【課題を解決するための手段】
【０００６】  上記課題を解決するため、本発明による温熱浴室は、加温された室内に遠赤外線等を発生する天然変成岩が前記室内の内面全体に配設され、遠赤外線、マイナスイオンを発生する天然変成岩の破砕した粒子をシリコン樹脂に混練した生成膜と、前記室内に設置して加温する乾式の加熱器と、前記生成膜の外面を被覆して、前記室内から室外への熱を遮断する断熱壁を備えたことを要旨としている。【０００７】  また、前記生成膜は、粒径が５〜２０ミクロンの前記天然変成岩の粒子を前記シリコン樹脂のペーストに分散して混練して形成され、板厚を２ｍｍとすることが望ましい。【０００８】  さらに、前記天然変成岩の粒子を混練した前記生成膜から、８〜１５ミクロンの波長の遠赤外線と、１５００〜３０００個／ｃｍ３のマイナスイオンを生成させるようにしている。【０００９】  さらにまた、前記室内は、前記加熱器により４０〜６０℃に設定することが望ましい。
【発明の効果】
【００１０】  本発明の温熱浴室によれば、室内の内面全体に配設する生成膜が、遠赤外線、マイナスイオンを発生する天然変成岩を破砕した粒子をシリコン樹脂に混練しているので、適正量の遠赤外線、マイナスイオンを発生させることができる。また、この生成膜を室内の内面全体に配設しているので、室内のあらゆる方向から遠赤外線、マイナスイオンを放射させて人体全体に照射することができ、この結果、全身を温めて発汗させるので、健康を維持・強化を図ることが可能となる。さらに、室内を乾式の加熱器によって加温するので、室内を低湿度に保つことができるので、長時間快適に入浴することが可能となり、高湿度環境による熱中症を未然に防止することができる。しかも、室内から室外への熱を遮断するように断熱壁を備えたので、室内の環境を継続して保持することができる。【００１１】  また、生成膜に使用する天然変成岩は、粒径を５〜２０ミクロンとした粒子に形成しているので、表面積が大きくなり、遠赤外線、マイナスイオンを効率よく発生させることが可能となる。さらに、天然変成岩の粒子をシリコン樹脂のペーストに分散して混練しているので、粒子を安定し均等位置に配分することができる。しかも、シリコン樹脂は遠赤外線、マイナスイオンを透過させることができるので、シリコン樹脂に影響されることなく浴室に放出させることができる。この生成膜の板厚を２ｍｍと薄く形成しているので、浴室内のスペースを広くすることが可能となり、シリコン樹脂は柔軟に形成されるので、仮に使用者が衝突しても危害を与える危険性が未然に防止することが可能となる。【００１２】  さらに、全身を温めて健康を維持・強化を図るために適正な遠赤外線、マイナスイオンは、遠赤外線の波長が８〜１５ミクロン、マイナスイオンの生成量が１５００〜３０００個／ｃｍ３であるが、シリコン樹脂に天然変成岩の粒子を混練することにより、適正な生成量となり、人に対する健康を維持・強化を図ることが可能となる。
【図面の簡単な説明】
【００１３】
【図１】本発明による温熱浴室の実施例を示す構成図である。
【図２】温熱浴室の生成膜を示す断面図である。
【発明を実施するための形態】
【００１４】  本発明による温熱浴室は、加温された室内に遠赤外線等を発生する天然変成岩が前記室内の内面全体に配設され、遠赤外線、マイナスイオンを発生する天然変成岩を破砕した粒子をシリコン樹脂に混練した生成膜と、前記室内に設置して加温する乾式の加熱器と、前記生成膜の外面を被覆して、前記室内から室外への熱を遮断する断熱壁を備えている。
【００１５】  以下、図面に基づいて本発明の好適な実施例について説明する。図１は、本発明による温熱浴室を示す構成図である。温熱浴室１は、療養或いは健康維持を求める人２が入室可能な、例えば、高さ１７５ｃｍ、幅１１０ｃｍ、奥行き９０ｃｍの広さの室内３に形成されている。そして、室内３の内面全体には、生成膜５が配設されている。さらに、生成膜５の外方には、例えば檜や杉などの木材からなる内壁６ａ、及び、断熱材６ｂによって包囲され、この断熱材６ｂの外面には、木材する外壁６ｃによって、断熱効果を有する断熱壁６が形成されている。このように、内壁６ａ及び外壁６ｃに木材を採用することにより、木材そのものの断熱作用を有効に活用するためであり、その他に、檜や杉などが有する殺菌効果を得るためでもある。また、温熱浴室１には、出入り口１ａが設けられ、療養を求める人２が出入りできるようにしている。この出入り口１ａの内面も生成膜５が配設され、その外面は断熱材等によって断熱されている。
【００１６】  温熱浴室１の室内３の内面全体に配設された生成膜５は、図２に示すように、シリコン樹脂５ａ内に遠赤外線、マイナスイオンを発生する天然変成岩５ｂを破砕した粒子が分散して混練されている。本発明の実施例において使用される天然変成岩５ｂは、後述するように、全身を温めて健康を維持・強化を図るために適正な遠赤外線、マイナスイオンを発生する。
【００１７】  天然変成岩５ｂは、粒径を５〜２０ミクロンとした粒子に形成することにより、全体としての表面積が大きくなり、多くの遠赤外線、マイナスイオンを発生させることが可能となる。この天然変成岩５ｂの粒子を混練するシリコン樹脂は、素材として周知のペースト状のシリコン樹脂を用い、このシリコン樹脂に天然変成岩５ｂの粒子を入れて均等に分散されるように混練される。シリコン樹脂に天然変成岩５ｂの粒子を混練する量は、生成膜５から放出されるマイナスイオンが１５００〜３０００個／ｃｍ３となるように調整される。
【００１８】  天然変成岩５ｂの粒子を混練したシリコン樹脂は、厚さｔを２ｍｍとして固化させることにより、適度の硬度としたシート状の生成膜５が形成される。そして、生成膜５は、室内３の内面全体に、接着又は固定部材によって隙間無く固定して配設される。
【００１９】  また、室内３には、温熱浴室１として好適な湿度である約４０％〜６０％の範囲に保つために、乾式の加熱器７が設置されている。この加熱器７は、例えば電気ストーブ、ＦＦ式石油ストーブ、電気カーペット、外部に熱源を備えた温水暖房機のコイルファンユニットなど、加熱器７自体から水分を放出しないものが好ましい。室内３に人２が入室することにより、汗などの湿気が発散されることから湿度が上昇する。一方、乾式の加熱器７からは湿気が出ないので、室内３を約４０％〜５０％の範囲に保つことが可能となる。
【００２０】  以上のように構成された温熱浴室１は、室内３の生成膜５から、図１の波線で示すように、全面から遠赤外線、マイナスイオンが放出される。遠赤外線は、天然変成岩５ｂから放出される本来の波長である８〜１５ミクロンであり、全身を温めて健康を維持・強化を図るために適正な波長である。また、マイナスイオンは、１５００〜３０００個／ｃｍ３が放出される。この値も健康を維持・強化を図るために適正なものである。さらに、温熱浴室１の室内３は、加熱器７によって、４０℃から６０℃に加温される。このときの室内３の湿度は、４０％〜５０％の範囲としている。この湿度は、一般的に人の健康維持のために最適な値である。因みに、前述した特許文献に記載されたサウナのように、多湿の環境では、熱中症になるリスクがあるが、本発明の温熱浴室１の室内環境では、健康的な居住環境と同等にしているので、熱中症のリスクを極小にすることが可能となる。
【００２１】  温熱浴室１の室内３には、図１に示すように、人２が入室し、着座して状態で３０〜４０分間入浴する。この間、人２には、８〜１５ミクロンの波長とした遠赤外線と、１５００〜３０００個／ｃｍ３のマイナスイオンを照射することにより、身体の内部から適温に加温されて発汗作用を促す。この発汗によって、室内３の湿度が上昇するが、加熱器７が乾式のために上昇が抑制され、３０〜４０分の入浴時間では、４０％〜５０％の湿度が維持される。
【００２２】  この温熱浴室１により、天然変成岩５ｂから発生する遠赤外線、マイナスイオンを受けることにより、身体の新陳代謝が加速され、糖尿病、高血圧、高脂質などの生活習慣病、冷え性、アレルギーの人、或いは、癌を含めた内臓疾患の患者が治癒または軽減されることが、医療機関による治験によって証明された。
【００２３】  以上、本発明を実施例に基づき具体的に説明したが、本発明は上記実施例に限定されるものではなく、その要旨を逸脱しない範囲で種々変形可能であることは言うまでもない。
【符号の説明】
【００２４】１    温熱浴室
２    人
３    室内
５    生成膜
５ａ  シリコン樹脂
５ｂ  天然変成岩
６    断熱壁
７    加熱器
【図１】
2020044304.tif 000003
【図２】
2020044304.tif 000004